(57)【特許請求の範囲】
【請求項１】
印刷機のインキ装置のインキ量を制御する方法であって、
インキ装置内のインキ量が、相応する変化しないインキ流がインキ供給源から供給されることによって一定に保たれ、
前記インキ量の第１の値（Ｆ1）から第２の値（Ｆ2）へ増加もしくは減少が、
前記インキ流の前記第２の値（Ｆ2）に対応する第２の目標値(s2)よりも大きいか小さいインキ流(s12)にしたがい、
次式
【数１】
0004833401.tif 000007
によって第１および第２のインキ量（Ｆ1、Ｆ2）に基づいて決定されるインキ量(Ｆ12)が移行時間間隔([t1,t2])の間に供給されることによって、
行われる、印刷機のインキ装置におけるインキ量制御方法において、
前記移行時間間隔([t1,t2])が前記インキ量の前記第１の値から前記第２の値へ経過する間に前記インキ量を第３の値（Ｆ3)に調節する場合、
前記第１のインキ量（Ｆ1）と前記第２のインキ量（Ｆ2)間の仮のインキ量(Ｆf）を、ｔ３を前記第３の値（Ｆ3)が目標値として設定される時刻、ｓ(t)を供給されるインキ流として、次式、
【数２】
0004833401.tif 000008
によって求め、
新しい移行時間間隔([t3,t4])を開始し、
インキ量(Ｆ34)を前記新しい移行時間間隔([t3,t4])の間に、次式
【数３】
0004833401.tif 000009
にしたがって前記仮のインキ量(Ff)、前記第３のインキ量(F3)、および前記インキ流の前記第３のインキ量（Ｆ3）に対応する第３の目標値(s3)に基づいて決定する、
ことを特徴とする、印刷機のインキ装置におけるインキ量を制御する方法。
【請求項２】
前記インキ流（ｓ(t)）を前記移行時間間隔の間、時間間隔([t1,t3])において第１の一定値（s12）に保ち、時間間隔([t3,t4])において第２の一定値（s23）に保つ、請求項１記載の方法。
【発明の詳細な説明】
【０００１】
【発明の属する技術分野】
本発明は、印刷ジョブが行われる間印刷機にあるインキ装置内のインキ量を制御する方法に関する。
【０００２】
【従来の技術】
インキ量が多くなればなるほど、版のインキ親和性領域におけるインキ着けが強くなり、インキ量が少なくなればなるほど、インキ着けは弱くなる。したがって、印刷結果がインキに関し満足できるものである限り、このインキ量を一定に保つことが重要であり、また、インキにおけるムラが検出された場合、インキ的に満足できる印刷結果が得られると思われる新しい値にインキ量をできるだけ迅速に調節できることが重要である。
【０００３】
通常、印刷機のインキ装置は調量装置を有する概ねインキみぞの形態のインキ供給源からインキが供給される。このインキ装置は、インキ供給源から調量されるインキ流を版に供給する多かれ少なかれ多数のインキローラを備えている。インキ装置内もしくはインキローラ上のインキ量を変更された値に調整するためには、インキ供給源から供給されるインキ流を変えることが必要である。このインキ流は版に達する前に複数のローラによって多数に分割されるので、インキのムラを検出してから、一方ではこれに相応して調量装置を新しく調節し、他方ではこの変更された調量が版へのインキ供給に作用する時点までの間に、かなり長い時間が経過する。損紙はこの時間の間に発生する。
【０００４】
したがって、この時間をできるだけ短いものに保つことは非常に重要なことである。この目的のために、本出願人は、第２の値に対応するインキ流の目標値よりも上もしくは下のインキ流であって、所定の規則にしたがい第１および第２のインキ量に基づいて決定されるインキ流が移行時間間隔の間に供給されることによって、ローラ上のインキ量を第１の値から第２の値へ増加または減少させる方法を開発した。第２のインキ量が第１のインキ量よりも多い場合、この移行時間間隔内におけるインキ流は、第２のインキ量に対応したインキ流よりも多く、第２のインキ量が第１のインキ量よりも少ない場合、移行時間間隔内におけるインキ流は第２のインキ量に対応したインキ流よりも少ない。つまり、インキローラ上に所望のインキ量をできるかぎり迅速に得るために、しばらくの間、多めのインキもしくは少なめのインキがインキ供給源から供給され、また、ある時間が経過した後、この第２のインキ量が概ね得られたと思われた後に、ローラ上のこの第２のインキ量を継続する運転の最中に保つように計量された第２のインキ流に切換えられる。
【０００５】
対応する方法はドイツ特許公開第4337343号にも記載されている。
【０００６】
この方法を使用した場合、移行時間間隔が経過する際、第１のインキ量から第２のインキ量へのこの切換えの間に第３のインキ量への切換えが始まると考えられる。この第３の値へのこの切換えは、添付した図１および図２に示されているように公知の方法にしたがって行われる。これらの図は、インキ供給源から供給されるインキ流
【０００７】
【外１】
0004833401.tif 000002
【０００８】
の時間的な推移をそれぞれ示しており、この場合、横軸は印刷された枚葉紙の数として測定される時間を表しており、また、縦軸はインキ流
【０００９】
【外２】
0004833401.tif 000003
【００１０】
を表している。このインキ流はインキ量として、すなわち単位時間あたりもしくは印刷された枚葉紙ごとの調量されたインキの質量もしくは体積として測定されてもよく、または、インキ供給源が間隔によって調量を行う場合には、このインキ流に比例した間隔の広さや幅として与えられてもよい。
【００１１】
図１の線１０は、例えば電子制御回路を用いて実施可能な「簡単な」調節過程を示している。この制御回路は、この調節過程の開始時にはインキ量の第１の目標値ｓ1を外部から受け取る。
【００１２】
これに応じて、制御回路は、ゼロからt1までの時間間隔内に、インキ供給源をインキ流の第１の目標値s1に調節された状態に保つ。時刻t1に、インキ着けローラ用の新しいインキ量Ｆ2が制御回路に与えられ、この場合、このインキ着けローラに対しては、進行する印刷工程内でこのインキ量Ｆ2を保つために、インキ流の新しいさらに大きい目標値s2が設定される必要がある。この新しいインキ量Ｆ2をできるだけ早く得るために、枚葉紙が例えば６０枚連続する移行時間間隔[t1,t2]の間、非常に多量のインキ量が送られ、つまり配分用間隔の幅の限度を超えてしまい、インキ流は一定の値s12に保たれる。時刻t2の後、インキ流は第２の目標値s2に切り換えられる。
【００１３】
一点鎖線の線２０は、第２の目標値s2から始って時間t3に新しい目標値s3を決定する場合のインキ流の時間的な推移を示している。このインキ流もまた、この移行時間間隔の間、暫定値ｓ23に増大する。これらの移行時間間隔の長さはそれぞれこれらの目標値に依らず同一である。
【００１４】
【発明が解決しようとする課題】
図２は、この２つの移行過程が時間的に重なる場合の、インキ流の時間的な推移を示している。線３０の形状は時刻t3における第２の移行過程の開始点にいたるまで線１０の場合と同じである。この線３０は、時刻t3に、図1の線２０と同じ程度だけ増大し、時刻t2,t4では、それぞれ線１０,２０における相応する時間と同じ程度だけ減少する。これにより、線３０は２つの各移行過程におけるこれらの線が重なったものとして考えることができる。インキ流のこのような変化を制御することは、時刻t3の後にインキ流の調節を行わなければならない２つの時刻(t2,t4)と各調節の程度とを記憶しておくことが必要なので、コストがかかる。
【００１５】
本発明の目的は、この制御方法を簡単なものにすることにある。
【００１６】
【課題を解決するための手段】
この目的は、第３のインキ量が目標値として、第１の目標値から第２の目標値へのインキ量の切換えがまだ終了していない時点に与えられる場合、第１のインキ量と第２のインキ量間の仮のインキ量を補間法によって求め、新しい移行時間間隔を開始し、インキ流を、この新しい移行時間間隔の間に、上述したものと同じ規則によって仮のインキ量および第３のインキ量に基づいて決定することによって達成される。
【００１７】
この規則は、インキ流は移行時間間隔内で一定であることを含んでいることが好ましい。この移行時間間隔の長さがインキ量に依存しないことが、本発明の目的にかなって有利である。
【００１８】
【発明の実施の形態】
次に、本発明の実施の形態について図面を参照して説明する。
【００１９】
図３は、図１と同じように、インキ供給源から供給されるインキ量の時間的な推移を印刷された枚葉紙の数として表される時間に基づいて示している。
【００２０】
図１で線１０によって示された単純な切換過程を実行するために、本発明による方法は次の規則を使用する。
【００２１】
すなわち、時間の長さが切換の前後のインキ流s1,s2に依らない移行時間間隔が、この切換過程の開始とともに開始される。
【００２２】
移行時間間隔[t1,t2]におけるインキ流s(t)は、時間に基づくものであってもよい。
【００２３】
この場合、以下の式が目的にかなう。
【００２４】
【数２】
0004833401.tif 000004
【００２５】
式中、Ｆ1およびＦ2はそれぞれこの切換過程の前後におけるインキ装置内のインキ量である。言い換えると、s(t)は図１中で斜線を引いた面11がインキ量F2-F1の差と同じであるように選択される。
【００２６】
移行時間間隔内でs(t)が一定である場合、制御は特に単純になる。例えば以下の規則
【００２７】
【数３】
0004833401.tif 000005
【００２８】
を用いることができ、ここでαは正の比例定数である。
【００２９】
図３は、本発明の方法による、２つの切換過程が時間的に重なっている場合におけるインキ流の時間的な推移を示している。時刻０に、インキ量が制御されるインキ装置内に、インキ量Ｆ1を保つためにインキ供給源からのインキ流s1が必要であるインキ量Ｆ1が存在している。時刻t1には、新しい目標インキ量Ｆ2が与えられ、この目標インキ量を保つためにインキ流s2が必要である。ローラ上のこのインキ量Ｆ2は、移行時間間隔t1〜t2の間全体で、この移行時間間隔t1〜t2が通常は切換過程が続きインキ流s12が保たれるときに達成される。言い換えれば、この移行時間間隔の間に、過剰なインキ量(s12-s2)(t2-t1)がインキ供給源から供給されなければならない。時刻t3に、インキ着けローラ用の第３の目標インキ量が与えられる。この時点には、インキ供給源は、先ず、必要とされる過剰なインキ量における(s12-s2)(t3-t1)の部分を供給している。したがって、インキ装置は時間t3には以下の式
【００３０】
【数４】
0004833401.tif 000006
【００３１】
によって与えられる仮のインキ量Ｆfを有しているものと考えられる。
【００３２】
この後、第２の切換過程は、インキ量Ｆfから第１の目標値として出発し、インキ流s3に基づいてインキ量Ｆ3を第２の目標値として得るような単純な移行過程として正確に行われる。したがって、これは、時間t3に開始される新しい移行時間間隔のために、インキ流の均一な一定の値sf3と同じ規則を用いて決定され、時刻t4まで保たれる。
【００３３】
移行時間間隔が経過する前に再び新しい目標値が予め与えられた場合、この目標値は再び正確に同じ手法で扱うことができる。
【００３４】
本発明による方法は、インキ装置のそれぞれ個々の領域に様々な調節可能なインキ流を作用させることが可能な印刷機の場合、インキローラの個々の領域におけるインキ量の制御にも適用可能であり、また応用することが好ましい。
【図面の簡単な説明】
【図１】従来のインキ量制御方法によるインキ量の時間的な推移を示す図である。
【図２】従来のインキ量制御方法によるインキ量の時間的な推移を示す図である。
【図３】本発明のインキ量制御方法によるインキ量の時間的な推移を示す図である。
【符号の説明】
t1,t2,t3,t4    時間
F1,F2       インキ量
s1,s2,s3,s12,s23,sf3   インキ流
α           比例定数
【図１】
0004833401.tif 000010
【図２】
0004833401.tif 000011
【図３】
0004833401.tif 000012